(57)【特許請求の範囲】
【請求項１】
胴体１の上翼板４の後方側に突片１７を起設して爪孔２０を設け、上翼板４上に突片１２または透孔１５による当接部１４を設け、案内柱６の前面に係止部２２のある溝２１を設け、板スプリング２は略倒コ字状で一端に停止爪８、他端に係止片２３のある垂下片９、中央基板７に曲折して延出する係止舌片２４をそれぞれ設け、停止爪８の近傍に設けた引掛孔２６を後方側の突片１７に遊嵌し、垂下片９の係止片２３を係止部２２に係合し、係止舌片２４を当接部１４に常時圧接し滑動可能に装着し、引手３のカム付枢軸１０を後方側の突片１７と係止舌片２４間に配したことを特徴とする自動停止装置付スライドファスナー用スライダー。
【請求項２】
上翼板４の前方にフック状の突片１２を起設し、突片１２の先端中央に突出する係合突起１３を設け、係合突起１３の両側を当接部１４として形成し、板スプリング２の中央基板７に屈設した係止舌片２４に透孔２５を設け、該透孔２５を係合突起１３に遊嵌するとともに、係止舌片２４の表面を当接部１４に常時圧接してなる請求項１記載の自動停止装置付スライドファスナー用スライダー。
【請求項３】
上翼板４の前方に突片１２を起設し、突片１２の先端を当接部１４として形成し、係止舌片２４を当接部１４に常時圧接してなる請求項１記載の自動停止装置付スライドファスナー用スライダー。
【請求項４】
上翼板４の前方に突片１２を突設し、突片１２の基部を当接部１４として形成し、係止舌片２４を当接部１４に常時圧接してなる請求項１記載の自動停止装置付スライドファスナー用スライダー。
【請求項５】
上翼板４の前方に透孔１５を設けて当接部１４として形成し、係止舌片２４を当接部１４に常時圧接してなる請求項１記載の自動停止装置付スライドファスナー用スライダー。
【請求項６】
係止舌片２４の表面を当接部１４に常時圧接してなる請求項１、３、４または５記載の自動停止装置付スライドファスナー用スライダー。
【請求項７】
係止舌片２４の先端を当接部１４に常時圧接してなる請求項１、３、４または５記載の自動停止装置付スライドファスナー用スライダー。
【請求項８】
当接部１４は上翼板４の上面に対して略直角な垂直面からなる請求項１記載の自動停止装置付スライドファスナー用スライダー。
【発明の詳細な説明】
【０００１】
【発明の属する技術分野】
この発明は、通常タイプのスライドファスナーに使用する自動停止機構を備えたスライダーであって、停止爪を有する板スプリングを引き手の起伏操作によって、停止機能を働かせる自動停止装置付スライドファスナー用スライダーに関するものである。
【０００２】
【従来の技術】
従来のこの種の自動停止機構を備えたスライドファスナー用スライダーは、図１２に示すように胴体の上翼板上の前後に突片を突設し、この突片間に引手の枢軸に設けたカム部を戴置し、その上面へ板スプリングを配設する。板スプリングは略倒コ字状で一端に停止爪、他端に垂下片を設け、中央の基板から傾斜する係止片を設け、係止片の先端に係止部を屈設する。板スプリングは垂下片を胴体の案内柱に装着するとともに、停止爪の近傍に設けた開口部を上翼板の後方に設けた突片に遊嵌し、係止片の係止部を前方に設けた突片内に介在させ、引手を起立させると、係止片の係止部と前方の突片の係止部とが係止できるように形成した自動停止装置付スライドファスナー用スライダーが特開平１０−９９１０７号公報に開示されている。
【０００３】
また、実公昭５９−３８８８４号公報には、胴体の上翼板上の中央に前後一対の引手保持柱を突設して引手の枢軸を胴体へ回動可能に固定し、引手の枢軸にはカム部が設けられ、その上面に板スプリングを配設する。板スプリングは略コ字状で、一端に停止爪、他端に垂下部を設け、垂下部の先端に設けた係止片を胴体の案内柱に設けた係止部にスナップ形式で取り付け、板スプリングの中程に設けた肩部を上翼板の前方より突出する隆起部の案内面に係合させ、肩部を案内面に沿って揺動可能とした自動停止装置付スライドファスナー用スライダーが開示されている。
【０００４】
【発明が解決しようとする課題】
前項で述べた図１２に示す自動停止装置付スライドファスナー用スライダーは、板スプリングをスライダー胴体の案内柱に加締め加工により装着するものであるから、案内柱を基点として略コ字上に連結される上翼板と下翼板との間隔が案内柱の変形により広がって、上翼板と下翼板との間でエレメントのガイドを的確に行えなくなるという問題点がある。また加締め加工の際に板スプリングが案内柱よりも前方に移動して装着位置の位置ずれを起こし、その結果、停止爪が爪孔の壁面に密着して、停止爪がエレメントガイド溝に対し退避又は進出する動作が不可能になるという問題点がある。
【０００５】
また、実公昭５９−３８８８４号公報記載の自動停止装置付スライドファスナー用スライダーは、板スプリングの肩部が引手の起立動作に伴って案内面に沿って上下かつ前後に円弧を描きながら変移するので、前方に変移した時に肩部が案内面に乗っかって食い込み、引手を倒伏しても板スプリングが追随せず、元の位置に戻らないという問題点がある。
【０００６】
この発明は、上述の問題点を考慮して発明されたものであり、この発明のうち請求項１記載の発明は、停止爪付き板スプリングをスライダーの胴体に取り付けるとき、加締め加工などによって取り付けるのではなく、スナップ形式で板スプリングを胴体に対し単に押圧加工によって取り付け、長期にわたって安定した状態を維持でき、円滑なスライダー操作ができる自動停止装置付スライドファスナー用スライダーを提供することが主たる目的である。
【０００７】
請求項２記載の発明は、請求項１記載の発明の目的に加え、スライダー胴体から板スプリングが無闇に浮上するのを防ぎ、同時に板スプリングが安定した状態を常時維持できる自動停止装置付スライドファスナー用スライダーを提供することが目的である。
【０００８】
請求項３乃至７記載の発明は、それぞれ請求項１記載の発明の目的に加え、停止爪付板スプリングを押圧加工によって取り付け、板スプリングを常時安定した状態か長期にわたって維持できるスライダーを得るため、胴体上に設ける突片と板スプリングに設ける係止舌片との形態を特定し、各種タイプの自動停止装置付スライドファスナー用スライダーを提供することが目的である。
【０００９】
請求項８記載の発明は、請求項１記載の発明の目的に加え、板スプリングの停止爪とエレメントガイド溝より退避または進出する動作を円滑に行うことができる自動停止装置付スライドファスナー用スライダーを提供することが目的である。
【００１０】
【課題を解決するための手段】
前記の目的を達成するため、この発明のうち請求項１記載の発明は、スライダー胴体１の上翼板４上の後方側に、フック状の突片１７を起設してその基部に爪孔２０を設け、上翼板４の前方に突片１２または透孔１５を設け、この突片１２または透孔１５に板スプリング２の係止舌片２４が当接する当接部１４を設け、胴体１の案内柱６の前面に凹溝２１を設け、この凹溝２１に板スプリング２の係止片２３と係合する係止部２２を設け、板スプリング２は略倒コ字状で一端に停止爪８を設け、他端に垂下片９を設け、この垂下片９には凹溝２１の係止部２２と係合する係止片２３を設け、板スプリング２の中央基板７に曲折して下方に延出する係止舌片２４を設ける。
【００１１】
停止爪８の近傍に引掛孔２６を設け、この引掛孔２６を後方側に設けた突片１７に遊嵌し、垂下片９に設けた係止片２３を凹溝２１の係止部２２に係合し、板スプリング２の係止舌片２４を上翼板４に設けた当接部１４に常時圧接し滑動できるように装着し、引手３のカム付枢軸１０を後方側の突片１７と板スプリング２の係止舌片２４との間に配した自動停止装置付スライドファスナー用スライダーを主な構成としている。
【００１２】
請求項２記載の発明は、請求項１記載の発明の構成に加え、スライダー胴体１の上翼板４の中央にフック状の突片１２を起設し、この突片１２の先端中央に突出する係合突起１３を設け、係合突起１３の両側の突片１２の先端を当接部１４として形成し、板スプリング２の中央基板７に屈設した係止舌片２４に透孔２５を設け、この透孔２５を突片１２の係合突起１３に遊嵌するとともに、係止舌片２４の表面を突片１２に設けた当接部１４に常時圧接した自動停止装置付スライドファスナー用スライダーである。
【００１３】
請求項３記載の発明は、請求項１記載の発明の構成に加え、スライダー胴体１の上翼板４の前方に突片１２を起設し、この突片１２の先端部分を当接部１４として形成し、板スプリング２に設けた係止舌片２４を当接部１４に常時圧接した自動停止装置付スライドファスナー用スライダーである。
【００１４】
請求項４記載の発明は、請求項１記載の発明の構成に加え、スライダー胴体１の上翼板４の前方に突片１２を起設し、この突片１２の基部を当接部１４として形成し、板スプリング２に設けた係止舌片２４を当接部１４に常時圧接した自動停止装置付スライドファスナー用スライダーである。
【００１５】
請求項５記載の発明は、請求項１記載の発明の構成に加え、スライダー胴体１の上翼板４の前方に透孔１５を設け、この透孔１５の壁面を当接部１４として形成し、板スプリング２に設けた係止舌片２４を当接部１４に常時圧接した自動停止装置付きスライドファスナー用スライダーである。
【００１６】
請求項６記載の発明は、請求項１、３、４または５記載の発明の構成に加え、板スプリング２に設けた係止舌片２４の表面を、スライダー胴体１の上翼板４に設けた当接部１４に常時圧接した自動停止装置付スライドファスナー用スライダーである。
【００１７】
請求項７記載の発明は、請求項１、３、４または５記載の発明の構成に加え、板スプリング２に設けた係止舌片２４の先端を、スライダー胴体１の上翼板４に設けた当接部１４に常時圧接した自動停止装置付スライドファスナー用スライダーである。
【００１８】
請求項８記載の発明は、請求項１記載の発明の構成に加え、スライダー胴体１の上翼板４に設ける当接部１４は、上翼板４の上面に対して略直角な垂直面から形成された自動停止装置付スライドファスナー用スライダーである。
【００１９】
【発明の実施の形態】
以下、この発明の自動停止装置付スライドファスナー用スライダーの実施の形態について、図面を参照しながら具体的に説明する。
【００２０】
この発明の自動停止装置付スライドファスナー用スライダーは、たとえば図１〜４に示すように、自動停止機構を備えた通常タイプのスライダーであり、スライダーは胴体１、板スプリング２、引手３の３部材から構成され、これらの部材は板金加工手段によって製造されている。
【００２１】
スライダーの胴体１は、上翼板４、下翼板５および上下翼板４、５を連結する案内柱６から形成され、また板スプリング２は板状で両端が屈曲し、中央に基板７、一端に停止爪８、他端に固定用の垂下片９が形成され、引手３は胴体１に回動自在に枢着するための枢軸１０が一端に設けられ、他端に摘手部１１が形成されている。
【００２２】
さらに胴体１は、上翼板４の前方側すなわち肩口側の中央に上方へフック状に突出する突片１２が設けられ、この突片１２の先端中央部分に突出する係合突起１３を設け後述する板スプリング２の係止舌片２４の透孔２５が嵌入する。また係合突起１３の両側の突片１２の先端に係止舌片２４が当接できる当接部１４が形成され、当接部１４は上翼板４の上面に対して、その延長線が直角に交わる垂直面に形成されている。突片１２の基部にはエレメントガイド溝１９に通じる透孔１５を設け、突片１２の基部両側には前傾した板スプリング２を戴置するための支持台１６が突設されている。
【００２３】
上翼板４の後方側すなわち後口側の中央には後方へ傾倒するフック状の突片１７を突設し、突片１７の先端を曲折して係止部１８を設けて板スプリング２の引掛孔２６を遊嵌し、突片１７の基部にエレメントガイド溝１９に通じる爪孔２０が穿設されている。また、案内柱６の前面には溝２１を設け、この溝２１の両側に、下部が水平状で上部が傾斜する略直角三角形状の係止部２２を設け、板スプリング２の係止片２３と係合できるように形成する。なお、溝２１は図示する凹状だけでなく、案内柱６の上下に貫通する縦穴形状であってもよい。
【００２４】
板スプリング２は、略倒コ字状を呈し一端に停止爪８、他端に細幅状の垂下片９を設け、この垂下片９の先端に横に張り出す係止片２３を突設して案内柱６に設けた係止部２２と係合する。板スプリング２の中央基板７に開口部２８を設け、この開口部２８の口縁から前方へ向け、かつ下方へ曲折して延出した係止舌片２４を設け、この係止舌片２４の中央には突片１２の係合突起１３が遊嵌できる透孔２５が穿設され、また停止爪８に近傍する板スプリング２に後方の突片１７の係止部１８が遊嵌できる引掛孔２６が穿設され、停止爪８の浮上するのを規制する。
【００２５】
引手３は一端に枢軸１０、他端に摘手部１１が設けられ、引手３が胴体１に装着され倒伏したとき、枢軸１０が胴体１に対向する側に偏倚突出するとともに、枢軸１０の断面形状が引手３の長手方向に沿って長い長方形を呈するカム２７が形成され、引手３を胴体１に装着し引手３の起伏操作により、板スプリング２を持ち上げるように形成されている。
【００２６】
次に自動停止機構を備えたスライダーの組立てについて説明すると、まず胴体１の上翼板４における前後の突片１２、１７の間に引手３の枢軸１０に設けたカム２７が収容する状態に引手３を戴置し、その上面へ板スプリング２を配装するか、図５に示すように上翼板４の爪孔２０に停止爪８を挿入するとともに、引掛孔２６に突片１７を遊嵌させて引掛孔２６の口縁を突片17の係止部１８に係止できるように配装する。
【００２７】
また板スプリング２の基板７の前方に設けた開口部２８に突片１２を嵌挿させるとともに、板スプリング２の係止舌片２４を突片１２の下方に設けた透孔１５に挿入し、突片１２の係止突起１３と係止舌片２４の透孔２５とが嵌入できるように配装され、かつ図６に示すように係止舌片２４の表面が突片１２に設けた当接部１４に圧接されるように板スプリング２の側縁が上翼板４上の支持台１６上に戴置される。
【００２８】
さらに板スプリング２の先端に設けた垂下片９の先端を、胴体１の案内柱６に設けた凹溝２１の両側の係止部２２の斜面に添ってガイドしながら押し下げると、垂下片９の弾力性により係止片２３は係止部２２と係合し固定することによってスライダーは組立てられる。
【００２９】
組立てられた自動停止機構を備えたスライダーは、図７に示すように引手３を起立させると、引手３のカム２７によって板スプリング２は弾力に抗して持ち上げられ、停止爪８をエレメントガイド溝１９から退避させることによりスライダーは自由に摺動させることができる。また引手３を元の位置へ倒伏させれば停止爪８はエレメントガイド溝１９へ進出してエレメント間に挿入されスライダーは停止する。なお引手３を胴体１の前方へ倒せば板スプリング２は偏倚したカム２７によって持ち上げられた状態を継続するから、スライダーは前方へ自由に摺動させることができる。
【００３０】
図８に示す第２実施例の自動停止装置付スライドファスナー用スライダーについて説明すると、第１実施例のスライダーと異なるところは、胴体１の前方側に突設する突片１２に形成する当接部１４と板スプリング２に形成する係止舌片２４の形態が異なる。すなわち突片１２は上翼板４上の前方に、フック状に突設され、この突片１２の内側基部にエレメントガイド溝１９に通ずる透孔１５を穿設し、この透孔１５の前方垂直壁面を当接部１４として形成し、板スプリング２の中央基板７に屈設する係止舌片２４をなだらかに前傾する形に屈設して、係止舌片２４の先端側表面が壁面の当接部１４に常時圧接し滑動できるように形成した自動停止装置付スライドファスナー用スライダーである。
【００３１】
図９に示す第３実施例の自動停止装置付スライドファスナー用スライダーは、胴体１の前方側に突設するフック状の突片１２はやや後傾状に傾斜するように形成して略垂直な基部内側面に当接部１４を形成し、板スプリング２の中央基板７に屈設する係止舌片２４はなだらかに前傾する形に屈設し、係止舌片２４の先端部分を水平状に曲折して突片１２の基部に形成した当接部１４に常時圧接し滑動できるように形成した自動停止装置付スライドファスナー用スライダーである。
【００３２】
図１０に示す第４実施例の自動停止装置付スライドファスナー用スライダーは、胴体１の前方側に突設するフック状の突片１２はやや後傾状に傾斜するように形成し、突片１２の先端が水平状に曲折された先端部分の垂直端面を当接部１４として形成し、板スプリング２の中央基板７に屈設する係止舌片２４は、ほぼ直角に近い角度で曲折し、先端を水平状に曲折し、係止舌片２４の表面を突片１２の先端に形成した当接部１４に常時圧接し滑動できるように形成した自動停止装置付スライドファスナー用スライダーである。
【００３３】
図１１に示す第５実施例の自動停止装置付スライドファスナー用スライダーは、胴体１の前方側に突片１２を突設することなく上翼板４を貫通する透孔１５を穿設し、この透孔１５の前方垂直壁面を当接部１４として形成する。板スプリング２の中央基板７に屈設する係止舌片２４はなだらかに前傾する形に屈設し、その先端側表面が透孔１５の壁面に設けた当接部１４に常時圧接し滑動できるように形成した自動停止装置付スライドファスナー用スライダーである。なお、この形態のスライダーは上翼板４の前方に突片１２がないので、引手３の枢軸１０に設けたカム２７を後方の突片１７と戴置される係止舌片２４の間に戴置する。
【００３４】
【発明の効果】
この発明の自動停止装置付スライドファスナー用スライダーは、以上説明したとおりの構成であり、この構成によって下記の効果を奏する。
【００３５】
この発明のうち請求項１記載の発明は、胴体の上翼板の後方側に突片を起設して爪孔を設け、上翼板の中央に突片または透孔による当接部を設け、案内柱の前面に係止部のある凹溝を設け、板スプリングは略倒コ字状で一端に停止爪、他端に係止片のある垂下片、中央基板に曲折して延出する係止舌片をそれぞれ設け、停止爪の近傍に設けた引掛孔を後方側の突片に遊嵌し、垂下片の係止片を係止部に係合し、係止舌片を当接部に常時圧接し滑動可能に装着し、引手のカム付枢軸を後方側の突片と係止舌片間に配したことによって、次の効果がある。
【００３６】
胴体に板スプリングおよび引手を加締加工によって取り付けるのではなく板スプリングを引手を戴置した後、単に胴体に対して押圧することによって簡単に取り付けることができる効果がある。しかも板スプリングは係止舌片が常時当接面に圧接されているので安定した状態で維持でき、円滑なスライダー操作ができる効果がある。
【００３７】
請求項２記載の発明は、請求項１記載の発明の効果に加え、上翼板の前方にフック状の突片を起設し、突片の先端中央に突出する係合突起を設け、係合突起の両側を当接部として形成し、板スプリングの中央基板に屈設した係止舌片に透孔を設け、透孔を係合突起に遊嵌するとともに、係止舌片の表面を当接部に常時圧接したことによって、突片が板スプリングの無闇な浮上を規制すると同時に係止舌片が安定した状態を常時維持できる効果がある。
【００３８】
請求項３乃至７記載の発明は、それぞれ請求項１記載の発明の効果に加え、上翼板の前方に突片を起設し、突片の先端を当接部として形成し、または突片の基部を当接部として形成し、あるいは透孔を当接部として形成し、各当接部に係止舌片の表面または係止舌片の先端を常時圧接することによって次の効果を奏する。それぞれ異なった形態の当接部と係止舌片であっても、板スプリングの係止舌片を上翼板に設けた当接部に常時圧接し、滑動できるように形成することができ、板スプリングを簡単な押圧加工によって安定した状態に付けることができ、スライダーの操作が容易であり耐久性のある自動停止装置付スライドファスナー用スライダーに仕上げることができる効果がある。
【００３９】
請求項８記載の発明は、請求項１記載の発明の効果に加え、当接部は上翼板の上面に対して略直角な垂直面から形成されているので、係止舌片が当接部に乗り上げることがなく係止舌片の移動が円滑に行え、停止爪のエレメントガイド溝への進出または退避動作を長期にわたって安定して行える効果があるなど、この発明が奏する効果はきわめて顕著である。
【図面の簡単な説明】
【図１】自動停止装置付スライドファスナー用スライダーの斜視図である。
【図２】同上スライダーの分解斜視図である。
【図３】同上スライダーの平面図である。
【図４】同上スライダーの正面図である。
【図５】図３におけるＡ−Ａ線断面図である。
【図６】図３におけるＢ−Ｂ線断面図である。
【図７】同上スライダーの引手操作を行った状態の断面図である。
【図８】第２実施例のスライダーの断面図である。
【図９】第３実施例のスライダーの断面図である。
【図１０】第４実施例のスライダーの断面図である。
【図１１】第５実施例のスライダーの断面図である。
【図１２】公知のスライダーの断面図である。
【符号の説明】
１            胴体
２            板スプリング
３            引手
４            上翼板
６            案内柱
７            基板
８            停止爪
９            垂下片
１０            枢軸
１２            突片（前方）
１３            係合突起
１４            当接部
１５            透孔（上翼板）
１７            突片（後方）
２０            爪孔
２１            溝
２２            係止部（凹溝）
２３            係止片
２４            係止舌片
２５            透孔（係止舌片）
２６            引掛孔
２７            カム
【図１】
0003599644.tif 000002
【図２】
0003599644.tif 000003
【図３】
0003599644.tif 000004
【図４】
0003599644.tif 000005
【図５】
0003599644.tif 000006
【図６】
0003599644.tif 000007
【図７】
0003599644.tif 000008
【図８】
0003599644.tif 000009
【図９】
0003599644.tif 000010
【図１０】
0003599644.tif 000011
【図１１】
0003599644.tif 000012
【図１２】
0003599644.tif 000013